(57)【要約】【課題】ユーザメリットの多い調理レシピ提供システムを実現する。【解決手段】オリジナル調理レシピ申請元３が作成して申請したオリジナル調理レシピが調理レシピ供給サイド１で審査して不採用となったときにはオリジナル調理レシピ申請元から調理レシピ供給サイドに掲載依頼料を支払うことにより、不採用となったオリジナル調理レシピをレシピ供給サイドの調理レシピデータベースファイルへ登録掲載可能とする。【選択図】　図１
2004005209.tif 000002
【特許請求の範囲】
【請求項１】
端末装置を備えた調理レシピ利用サイドで作成したオリジナル調理レシピを通信回線を介してコンピュータシステムを備えた調理レシピ供給サイドに申請して該調理レシピ供給サイドの調理レシピデータベースファイルに登録して掲載することにより他の調理レシピ利用サイドで利用可能に構成した調理レシピ供給システムにおいて、
前記調理レシピ利用サイドの端末装置は、申請したオリジナル調理レシピの掲載審査の結果を取得して表示する手段と、申請して掲載否と審査されたオリジナル調理レシピの掲載依頼料の支払いを前記調理レシピ供給サイドに送信する手段を備え、
前記調理レシピ供給サイドのコンピュータシステムは、調理レシピ利用サイドから申請されたオリジナル調理レシピの掲載審査結果を調理レシピ利用サイドに通知する手段と、掲載依頼料の支払いを通知されたオリジナル調理レシピを登録して掲載する手段を備えたことを特徴とする調理レシピ供給システム。
【請求項２】
請求項１において、前記調理レシピ利用サイドの端末装置は、申請するオリジナル調理レシピを作成するためのオリジナル調理レシピ作成シートを通信回線を介して調理レシピ供給サイドから入手する手段と、オリジナル調理レシピ作成シートに入力された事項を所定書式のオリジナル調理レシピに自動変換する手段を備えたことを特徴とする調理レシピ供給システム。
【請求項３】
請求項１または２において、前記調理レシピ供給サイドのコンピュータシステムは、調理レシピ利用サイドから申請されたオリジナル調理レシピの受信日時を該オリジナル調理レシピの申請日時として自動登録する手段を備えたことを特徴とする調理レシピ供給システム。
【請求項４】
請求項１〜３の１項において、前記調理レシピ供給サイドのコンピュータシステムは、申請元を除く調理レシピ利用サイドから各オリジナル調理レシピへのアクセス利用回数を計数する手段と、アクセス利用回数に応じて該オリジナル調理レシピ申請元の調理レシピ利用サイドにロイヤリティを支払う手段を備えたことを特徴とする調理レシピ提供システム。
【請求項５】
請求項１〜４の１項において、前記調理レシピ供給サイドのコンピュータシステムは、オリジナル調理レシピを含む調理レシピデータベースファイルへのアクセス利用回数を計数する手段と、一定期間内におけるアクセス利用回数が上位にランクされる調理レシピ利用サイドに賞金を支払う手段を備えたことを特徴とする調理レシピ提供システム。
【請求項６】
請求項１〜５の１項において、前記調理レシピ供給サイドのコンピュータシステムは、調理レシピデータベースファイルに登録掲載している申請元の異なる複数の各オリジナル調理レシピに対する一定期間内における調理レシピ利用サイドからのアクセス利用回数を計数する手段と、アクセス利用回数が上位にランクされるオリジナル調理レシピの申請元である調理レシピ利用サイドに対価を支払う手段を備えたことを特徴とする調理レシピ提供システム。
【請求項７】
請求項１〜６の１項において、前記掲載依頼料，ロイヤリティ，賞金または対価の支払いは、調理レシピ供給サイドと調理レシピ利用サイドとの預金口座間において、調理レシピ供給サイドの依頼に基づいて取引き金融業者が自動的に行なうことを特徴とする調理レシピ提供システム。
【請求項８】
請求項１〜７の１項において、前記調理レシピ供給サイドのコンピュータシステムは、調理機器の仕様を納めた調理機器データベースファイルを備えたことを特徴とする調理レシピ提供システム。
【請求項９】
請求項１〜８の１項において、前記調理レシピ供給サイドは、調理レシピ利用サイドから利用料を徴収することを特徴とする調理レシピ提供システム。
【請求項１０】
請求項９において、前記利用料は、所定期間の会費とすることを特徴とする調理レシピ供給システム。
【発明の詳細な説明】
【０００１】
【発明の属する技術分野】
本発明は、調理レシピ提供システムに関する。
【０００２】
【従来の技術】
特開２００２−３２４３９号公報に記載された通信システム（従来技術１）は、ネットワークを介して複数の端末装置が接続されたサーバコンピュータに、複数の端末装置のうちの第１の端末装置から送られる情報を掲載する掲載手段と、第１の端末装置に料金を支払う支払手段と、複数の端末装置のうちの第２の端末装置がサーバコンピュータに掲載された情報を利用した場合に該第２の端末装置に情報利用料金を請求する請求手段とを具備している。
【０００３】
具体的には、ガス業者がインターネット上にユーザ参加型の料理サイトを開設し、情報の引き出しや提供に応じて自動的に課金する。例えば、ユーザが自作の調理レシピをガス業者に提供して採用されると、通常のガス料金から調理レシピ提供料金が差し引かれ、ユーザが調理レシピをダウンロードすると、通常のガス料金に調理レシピ利用料金が上乗せされる構成である。
【０００４】
特開２００１−１９５３８５号公報に記載されたレシピ提供システム（従来技術２）は、データ入力手段としての端末装置と、基準レシピを記憶したサーバーとを通信手段を介して接続し、前記サーバーは、データ入力手段からの料理メニュー選択データと人数データとを基にして食材と調味料の量および調理時間を演算する構成である。
【０００５】
【発明が解決しようとする課題】
従来技術１の通信システムでは、ユーザが自作の調理レシピを業者に提供しても該業者に選択採用されないと掲載されないことから、業者主体のシステムになり易い。ユーザに支払われるレシピ提供料金は、自作の調理レシピに対する他のユーザの利用度に応じたものではなく、一定額であるために、ユーザメリットに欠ける。ユーザが作成する自作の調理レシピは、所定書式に沿った記載になり難く、業者側でのレシピ加工作業量が多くなり、煩わしくなり易い。一方、調理レシピを利用するユーザにとっては、レシピ利用料金が利用回数に応じて取られるだけで、利用することによる楽しみが少ない。
【０００６】
以上のようなことから、ユーザ参加型と言えども、システムやサービス全体が業者主体になり、ユーザメリットの少ないシステムになってしまうことが懸念される。
【０００７】
また、従来技術２のレシピ提供システムでは、目的が単位集団の構成員の特性に応じた調理レシピの提供であり、調理レシピは、業者側が開発，提供するのみであって、ユーザ参加型のシステムにはなっていない。
【０００８】
本発明の目的は、ユーザメリットが大きいユーザ参加型の調理レシピ提供システムを提供することにある。
【０００９】
【課題を解決するための手段】
本発明の調理レシピ提供システムは、端末装置を備えた調理レシピ利用サイドで作成したオリジナル調理レシピを通信回線を介してコンピュータシステムを備えた調理レシピ供給サイドに申請して該調理レシピ供給サイドの調理レシピデータベースファイルに登録して掲載することにより他の調理レシピ利用サイドで利用可能に構成した調理レシピ供給システムにおいて、
前記調理レシピ利用サイドの端末装置は、申請したオリジナル調理レシピの掲載審査の結果を取得して表示する手段と、申請して掲載否と審査されたオリジナル調理レシピの掲載依頼料の支払いを前記調理レシピ供給サイドに送信する手段を備え、
前記調理レシピ供給サイドのコンピュータシステムは、調理レシピ利用サイドから申請されたオリジナル調理レシピの掲載審査結果を調理レシピ利用サイドに通知する手段と、掲載依頼料の支払いを通知されたオリジナル調理レシピを登録して掲載する手段を備えたことを特徴とする。
【００１０】
オリジナル調理レシピの申請においては、申請元である調理レシピ利用サイドの端末装置によって通信回線を介して調理レシピ供給サイドのコンピュータシステムからオリジナル調理レシピ作成シートを入手し、申請元である調理レシピ利用サイドのユーザがこのオリジナル調理レシピ作成シートに必要事項を記入または該当事項を選択することにより、このオリジナル調理レシピ作成シートから所定書式のオリジナル調理レシピに自動変換する。
【００１１】
更に、オリジナル調理レシピの申請は、申請元である調理レシピ利用サイドの端末装置から通信回線を介して調理レシピ供給サイドのコンピュータシステムにオリジナル調理レシピを送信し、調理レシピ供給サイドがこのオリジナル調理レシピを受信した日時を該オリジナル調理レシピの申請日時として自動登録する。
【００１２】
また、この調理レシピ提供システムは、オリジナル調理レシピを含む調理レシピデータベースファイルから調理レシピ利用サイドに調理レシピを提供する調理レシピ提供システムであって、申請元を除く他の調理レシピ利用サイドからオリジナル調理レシピへのアクセス利用回数に応じて、調理レシピ供給サイドから申請元の調理レシピ利用サイド（オリジナル調理レシピ申請元）にロイヤリティを支払う。
【００１３】
更に、オリジナル調理レシピを含む調理レシピデータベースファイルへのアクセス利用回数が一定期間内において上位にランクされる調理レシピ利用サイドに賞金を支払う。
【００１４】
更に、調理レシピデータベースファイルに登録掲載された申請元の異なる複数のオリジナル調理レシピについて、一定期間内において調理レシピ利用サイドからのアクセス利用回数が上位にランクされるオリジナル調理レシピの申請元である調理レシピ利用サイドに対価を支払う。
【００１５】
ここで、レシピ掲載依頼料，レシピ掲載引受料，ロイヤリティ，賞金または対価等の支払いは、調理レシピ供給サイドと調理レシピ利用サイドとの預金口座間において、調理レシピ供給サイドの依頼により取引き金融業者が自動的に行なう。
【００１６】
また、調理レシピ供給サイドのコンピュータシステムは、調理機器の仕様を納めたデータベースを備える。更に、調理レシピ利用サイドからの調理レシピ提供システムの利用は、有料で行う。
【００１７】
ここで、この調理レシピ提供システムは、所定期間の会費を前納する会員登録制として、通信回線を介して所定期間内は無料で調理レシピをダウンロードすることができると共に調理レシピ供給サイドが提供する情報サービスを自由に受けることができる。
【００１８】
【発明の実施の形態】
本発明の実施の形態を図を参照して説明する。
図１は、本発明の調理レシピ提供システムの一実施の形態における「調理レシピ供給サイド」と「調理レシピ利用サイド」の相互関係を示す機能ブロック図である。
【００１９】
調理レシピ供給サイド１は、調理レシピデータベースファイルを備え、ユーザである調理レシピ利用サイド２に様々な調理レシピを提供し、また、ユーザ（調理レシピ利用サイド２）であるオリジナル調理レシピ申請元３から該ユーザが作成したオリジナル調理レシピの申請を受けて調理レシピデータベースファイルに登録して他のユーザ（調理レシピ利用サイド２）に提供する業者であり、家電メーカ，食品メーカ，飲食メーカ，ソフトメーカ，通信機器メーカなどが担当する。この調理レシピ供給サイド１は、コンピュータシステムを使用して構成する。
【００２０】
調理レシピ利用サイド２は、調理レシピ供給サイド１が提供する調理レシピを利用する複数の一般のユーザであり、この中には自ら考案して作成したオリジナル調理レシピを調理レシピ供給サイド１に申請する調理レシピ利用サイド（以下、オリジナル調理レシピ申請元３という）も含まれる。この調理レシピ利用サイド２（オリジナル調理レシピ申請元３）は、コンピュータシステム（端末装置やホームサーバ）および調理機器を使用して構成する。
【００２１】
図２は、この調理レシピ提供システムを実現するネットワークの一実施の形態を示すブロック図である。
【００２２】
調理レシピ供給サイド１と調理レシピ利用サイド２ａ〜２ｃは、それぞれインターネット等の宅外通信回線４を介して接続する。ここで、調理レシピ利用サイド２ａは、オリジナル調理レシピを作成して申請する機能を例示するので、ここではオリジナル調理レシピ申請元３として説明する。
【００２３】
調理レシピ利用サイド２ａ〜２ｃを構成する各家庭５ａ〜５ｃの中には、宅外通信回線４からの入口にホームゲートウェイ６ａ〜６ｃを設置し、このホームゲートウェイ６ａ〜６ｃに調理機器７ａ〜７ｃとデータ（情報）の入出力手段と表示手段と処理手段を具備した端末装置８ａ〜８ｃおよびホームサーバ９ａ〜９ｃを宅内通信回線１０ａ〜１０ｃを介して接続する。ここで、宅内通信回線１０ａ〜１０ｃは、有線通信回線であっても良いが、無線通信回線が好ましい。無線通信回線としては、ブルートゥース（Ｂｌｕｅｔｏｏｔｈ）やＵＷＢ（Ｕｌｔｒａ　Ｗｉｄｅｂａｎｄ），無線ＬＡＮ，赤外線等を利用することができる。
【００２４】
調理機器７ａ〜７ｃとしては、電子レンジ，オーブンレンジ，炊飯器，クッキングヒータ等の利用が可能であり、ここでは電子レンジを例示している。また、端末装置８ａ〜８ｃとしては、コンピュータ，テレビジョン，ＰＤＡ，携帯電話，ゲーム機等の製品の利用、更には、電子レンジ等の調理機器７ａ〜７ｃに付設された液晶画面を備えた操作パネル装置７ａ１〜７ｃ１等の利用が可能であるが、ここではパーソナルコンピュータを例示している。ホームサーバ９ａ〜９ｃは、この調理レシピ提供システムに専用に使用する専用のサーバであっても良いが、宅内の他の家電品（例えば、洗濯機，エアコン，冷蔵庫，テレビジョンやＡＶ機器）の制御等にも使える汎用のホームサーバであっても良い。
【００２５】
なお、ここで、この調理レシピ提供システムを利用する調理機器７ａ〜７ｃや端末装置８ａ〜８ｃ等は、ユーザ（調理レシピ利用サイド２ａ〜２ｃ）の所有物であることが望ましいが、調理レシピ供給サイド１等が提供するレンタル品であっても良いし、更には無償貸与品等であっても良い。
【００２６】
また、家庭５は、戸建て住宅のような家庭ではなく、アパートやマンション等の集合住宅内の個々の家庭でも良いし、更には、ホテル，病院，学校，寮等の大きな施設であっても良い。
【００２７】
調理レシピ供給サイド１は、データベース用サーバ１２を備えたコンピュータシステム１１によって構成する。
【００２８】
図３は、調理レシピ供給サイド１におけるコンピュータシステム１１の内部構成と、調理レシピ利用サイド２ａ（オリジナル調理レシピ申請元３）（〜２ｃ）における端末装置８ａ（〜８ｃ）の内部構成と調理機器７ａ（〜７ｃ）とホームサーバ９ａ（〜９ｃ）およびそれらを接続する通信回線４，１０ａ（〜１０ｃ）を例示する機能ブロック図である。
【００２９】
調理レシピ供給サイド１のコンピュータシステム１１は、主に調理レシピ等のデータベースを納めたデータベース用サーバ１２と、データ入力手段１３と、データ出力手段１４と、データ表示手段１５と、これらの制御と情報処理を実行するデータ処理手段（コンピュータ本体）１６を備える。
【００３０】
調理レシピ利用サイド２ａ（３）の端末装置８ａは、データ入力手段１７と、データ出力手段１８と、データ表示手段１９と、これらの制御と情報処理を実行するデータ処理手段（コンピュータ本体）２０を備えたパーソナルコンピュータによって実現する。そして、この端末装置８ａは、通信回線１０ａを介して、調理手段である調理機器７ａとホームサーバ９ａに接続する。ここで、調理機器７は、通信回線１０ａに接続されないものでも良く、ホームサーバ９ａは、端末装置（パーソナルコンピュータ）８ａにもたせたサーバ機能で実現する構成であっても良い。
【００３１】
図４は、調理レシピ供給サイド１のコンピュータシステム１１が備えたデータベース用サーバ１２におけるデータファイルの一実施の形態である。このデータベース用サーバ１２内には多くのファイルを格納するが、主なものは、以下の通りである。
【００３２】
調理レシピ利用サイド登録者名簿ファイル２１は、この調理レシピ提供システムに加入し、調理レシピをダウンロードする調理レシピ利用サイド２ａ（３）（〜２ｃ）の管理情報を格納するファイルで、会員番号，氏名，住所，電話番号，メールアドレス，年齢，性別等の個人情報を格納するように構成する。
【００３３】
調理レシピデータベースファイル２２は、このデータベース用サーバ１２の中では最も大きいファイルで、調理レシピ利用サイド２に提供する総ての調理レシピ情報を保持する。
【００３４】
調理レシピ利用サイドアクセス管理ファイル２３は、調理レシピデータベースファイル２２へアクセスし、調理レシピをダウンロードする調理レシピ利用サイド２ａ〜２ｃ（ユーザ）の氏名やアクセス利用回数等の情報を保持するファイルである。
【００３５】
調理機器データベースファイル２４は、この調理レシピレシピ提供システムに賛同，参画する調理機器の製造，販売会社等の調理機器仕様を納めたファイルである。機器仕様としては、例えば、会社名，調理器名，機種，型式，消費電力値等である。
【００３６】
図５は、調理レシピ供給サイド１のコンピュータシステム１１におけるデータ処理手段１６が主体となって実行するデータ処理によって実現する処理機能のブロック図であり、主なものは、以下の通りである。
【００３７】
オリジナル調理レシピ申請受付処理部２５は、オリジナル調理レシピ申請元３から申請前に依頼されるオリジナル調理レシピ作成シートの送信から該申請元３から送られてくるオリジナル調理レシピの受信（申請受付）までを扱う処理部である。
【００３８】
調理レシピ加工作業処理部２６は、オリジナル調理レシピ申請元３から申請されたデータベース登録掲載用のオリジナル調理レシピの加工や、この調理レシピ供給サイド１で開発した調理レシピの作成等を行なう処理部であり、受信したオリジナル調理レシピの修正，訂正や加筆，削除等の作業を行なう。なお、オリジナル調理レシピの加工作業を調理レシピ供給サイド１が行なうのではなく、外部の業者に委託する場合は、この申請調理レシピ加工作業処理部２６は、その外部の業者にももたせることになる。
【００３９】
調理レシピ利用サイドアクセス管理処理部２７は、調理レシピデータベースファイル２２へアクセス，ダウンロードするユーザ（調理レシピ利用サイド２ａ〜２ｃ）の氏名やアクセス利用回数等を処理して前記調理レシピ利用サイドアクセス管理ファイル２３に格納する処理部である。
【００４０】
調理レシピ検索処理部２８は、調理レシピデータベースファイル２２に保持している調理レシピの検索を実行する処理部であり、料理名を直接入力して調理レシピを入手したり、食材等を入力してその食材等で作ることができる調理レシピを探す等の検索処理機能を備える。
【００４１】
調理機器データベース処理部２９は、前記調理機器データベースファイル２４を検索して、会社名（例；○△社），調理器名（例；電子レンジ），型式（例；ＭＲＸ−２１０）等に基づいて、使用する調理機器（電子レンジ）７ａ〜７ｃの消費電力値（例；７００Ｗ）を知る（出力する）機能を備える。
【００４２】
入出金管理処理部３０は、調理レシピ供給サイド１と調理レシピ利用サイド２（申請元３含む）間で行われる各種の料金の入金および出金を管理する処理部であり、金融業者等を介して入出金を実行させる。
【００４３】
図６は、調理レシピ利用サイド２であるオリジナル調理レシピ申請元３のユーザが自ら考案して作成したオリジナル調理レシピを調理レシピ供給サイド１へ申請する場合の処理手順の流れを示すフローチャートである。この処理は、調理レシピ供給サイド１では、コンピュータシステム１１におけるデータ処理手段１６が主体になって実行し、オリジナル調理レシピ申請元３では、端末装置８ａにおけるデータ処理手段２０が主体になって実行する。
【００４４】
オリジナル調理レシピ申請元３のユーザが自ら考案して端末装置８ａを使用して作成（Ｓｔｅｐ１０１）したオリジナル調理レシピは、オリジナル調理レシピ申請元３から通信回線４，１０を介して調理レシピ供給サイド１に申請（送信；Ｓｔｅｐ１０２）する。オリジナル調理レシピの作成法（Ｓｔｅｐ１０１）については、後述する。
【００４５】
調理レシピ供給サイド１は、オリジナル調理レシピ申請元３からオリジナル調理レシピをコンピュータシステム１１によって受信すると、その受信日時を申請日時）として自動的に登録する（Ｓｔｅｐ１０３）。そして、受信したオリジナル調理レシピの内容を吟味する掲載審査を行う（Ｓｔｅｐ１０４）。この掲載審査は、受信したオリジナル調理レシピをデータ表示手段１５に表示し、審査員によって行う。この掲載審査において、調理レシピデータベース２３への登録掲載が可能な料理内容と判断した場合（Ｙ）には、コンピュータシステム１１によって、登録掲載可通知（採用通知）と共に調理レシピ供給サイド１からオリジナル調理レシピ申請元３に掲載引受料を支払うことをオリジナル調理レシピ申請元３に通知する（Ｓｔｅｐ１０５）。支払方法の詳細は後述するが、調理レシピ供給サイド１の依頼により、取引き金融業者３１が調理レシピ供給サイド１の口座とオリジナル調理レシピ申請元３の口座間で行う。ここで、取引き金融業者３１としては、各種の銀行や郵便局等がある。
【００４６】
掲載審査したオリジナル調理レシピを登録掲載否（不採用）と判断した場合（Ｎ）は、コンピュータシステム１１によって、調理レシピ供給サイド１からオリジナル調理レシピ申請元３に登録掲載否通知（不採用通知）を送信する（Ｓｔｅｐ１０６）。
【００４７】
オリジナル調理レシピ申請元３の端末装置８ａは、登録掲載否通知を受けるとこれをデータ表示手段１９に表示し、ユーザに掲載して欲しいか否かを判断させる（Ｓｔｅｐ１０７）。そして、断念する場合（Ｎ）は、そこで終わりとなる。しかし、自作のオリジナル調理レシピを調理レシピ提供システムに登録して掲載してもらいたい場合（Ｙ）は、オリジナル調理レシピ申請元３の端末装置８ａから調理レシピ供給サイド１に掲載依頼料を支払うことを通知し、この通知を受信することにより、調理レシピ供給サイド１のコンピュータシステム１１は、申請されたオリジナル調理レシピを登録して掲載することにする（Ｓｔｅｐ１０８）。この場合の料金の支払は、オリジナル調理レシピ申請元３からの依頼により、取引き金融業者３１がオリジナル調理レシピ申請元３の口座と調理レシピ供給サイド１の口座間で行う。
【００４８】
ここで、図６に示した破線の矢印，掲載引受料（Ｓｔｅｐ１０５）と掲載依頼料（Ｓｔｅｐ１０８）は、何れか一方という意味である。なお、登録掲載に関しての料金の負担は、掲載引受料と掲載依頼料の何れか一方ではなく、調理レシピ供給サイド１とオリジナル調理レシピ申請元３の折半であっても良い。
【００４９】
この実施の形態におけるオリジナル調理レシピの登録掲載方法は、調理レシピ供給サイド１が不採用の場合であっても、ユーザ（オリジナル調理レシピ申請元３）が料金（掲載依頼料）を払うことによりオリジナル調理レシピの掲載を実現することができるユーザ参加型のシステムを実現し、且つユーザにとって楽しさや喜びにつながり、ユーザにとってメリットの大きい調理レシピ提供システムとなる。これが、この調理レシピ提供システムの大きな特徴である。
【００５０】
以上の手順によって掲載が可能となったオリジナル調理レシピは、調理レシピ供給サイド１によって調理レシピデータベースファイル２２に登録して掲載することができる形態の調理レシピにまで加工する（Ｓｔｅｐ１０９）。一般的には、調理レシピ供給サイド１が掲載引受料を支払ったオリジナル調理レシピに比べて、オリジナル調理レシピ申請元３が掲載依頼料を支払ったオリジナル調理レシピの方が、加工作業量が多くなるが、何れのオリジナル調理レシピも、調理レシピデータベースファイル２２に登録して掲載するのに適した内容にまで加工する。このオリジナル調理レシピの加工作業は、調理レシピ供給サイド１が直接行なうのではなく、外部業者に委託して行っても良い。
【００５１】
加工したオリジナル調理レシピは、調理レシピデータベース２２に登録掲載し（Ｓｔｅｐ１１０）、調理レシピ供給サイド１からオリジナル調理レシピ申請元３にその登録掲載通知を送信し（Ｓｔｅｐ１１１）、オリジナル調理レシピの申請から登録掲載までの一連の処理の総てを終了する。
【００５２】
以上に述べた調理レシピ提供システムでは、オリジナル調理レシピの申請にあたっては、以下の対策が取られる。
【００５３】
調理レシピ利用サイド２である複数のオリジナル調理レシピ申請元３から同じまたは類似のオリジナル調理レシピが同じ頃に申請された場合には、優先権は申請日時の早い方に与える。この申請日時は、図６を参照して説明したように、調理レシピ供給サイド１のコンピュータシステム１１がオリジナル調理レシピ申請元３から通信回線４を介してオリジナル調理レシピを受信した日時が申請日時として自動的に登録されることから、その受信日時を比較することにより何れに優先権があるかを決める。
【００５４】
なお、複数のオリジナル調理レシピが同じまたは類似か否かの判断は、調理レシピ供給サイド１の判断に委ねる。
【００５５】
調理レシピ供給サイド１は、以上のようにして調理レシピデータベース２２に登録掲載したオリジナル調理レシピを含む全調理レシピを通信回線４，１０を介して調理レシピ利用サイド２に提供する（Ｓｔｅｐ２０１）。
【００５６】
次に、調理レシピ利用サイド２において、調理レシピ供給サイド１が提供する調理レシピデータベース２２から調理レシピを利用する手順の一実施の形態を図７を参照して説明する。
【００５７】
図７は、調理レシピ供給サイド１が提供する調理レシピを調理レシピ利用サイド２が利用する場合の処理の流れを示すフローチャートである。この処理は、調理レシピ供給サイド１では、コンピュータシステム１１におけるデータ処理手段１６が主体になって実行し、オリジナル調理レシピ申請元３では、端末装置８ａにおけるデータ処理手段２０が主体になって実行する。
【００５８】
調理レシピの提供（Ｓｔｅｐ２０１）は、後述するようなレシピ検索機能等を利用して行い、ユーザが欲しい調理レシピを調理レシピ利用サイド２によってダウンロードする。調理レシピ供給サイド１から調理レシピ利用サイド２への調理レシピの提供は無料で行なっても良いが、質の良い調理レシピ提供システムを目指すために、この実施の形態では有料で行う方法を採用する。
【００５９】
調理レシピ利用サイド２は、調理レシピ利用（ダウンロード）の料金（レシピ利用料）を調理レシピ供給サイド１へ支払う（Ｓｔｅｐ２０２）。ここで、レシピ利用料は、一定期間、例えば一年間または半年間は自由に調理レシピデータベース２２の調理レシピを利用することができる会費制（年会費制）であっても良いし、調理レシピを利用する度に調理レシピ毎の料金を支払う方式であっても良い。このようにして、調理レシピ供給サイド１から調理レシピ利用サイド２へ調理レシピの提供が活発に行われる。
【００６０】
以上のような調理レシピの利用（システム）において、調理レシピ供給サイド１では、調理レシピ利用サイドアクセス管理処理部２７によって、調理レシピ利用サイド２のアクセス利用回数を計数して調理レシピ利用サイドアクセス管理ファイル２３に記憶させて集計する（Ｓｔｅｐ２０３）。アクセス利用回数の計数は、一定期間内、例えば一年間または半年間の範囲において計数，集計し、アクセス利用回数に基づいた料金の支払いを行う。ここで、調理レシピを検索するだけではアクセス利用回数には計数せず、アクセス後に調理レシピ利用サイド２の端末装置８ｂにおいてダウンロードまたは印刷したものをアクセス利用回数（ダウンロード回数）として計数，集計する。
【００６１】
調理レシピ利用サイド２は、ダウンロードまたは印刷して取得した調理レシピを調理機器７ｂに適用して加熱調理を実行する（Ｓｔｅｐ２０４）。
【００６２】
アクセス利用回数に基づいた料金の支払いには、次の３種類を設定する。なお、本発明では、これらの総てを実施する必要はないが、ここでは、総てを実施した場合について説明する。
【００６３】
１つの支払いは、「アクセス利用回数に応じたロイヤリティ」の支払いである（Ｓｔｅｐ２０５）。これは、オリジナル調理レシピ申請元３の申請に基づいて登録掲載したオリジナル調理レシピへのアクセス利用回数に応じて調理レシピ供給サイド１からオリジナル調理レシピ申請元３にロイヤリティを支払う料金支払いである。例えば、あるオリジナル調理レシピ申請元３（ａ）からの申請に基づいて登録掲載したオリジナル調理レシピ「Ａ」の調理レシピデータベースファイル２２への登録掲載から一定期間（例えば、一年間）において、このオリジナル調理レシピ申請元３（ａ）以外の調理レシピ利用サイド２からのオリジナル調理レシピ「Ａ」へのアクセス利用回数を計数，集計し、その回数に見合った分のロイヤリティを支払う。つまり、利用頻度の高いオリジナル調理レシピほど調理レシピ利用サイド（ユーザ）２に人気の高い調理レシピであり、それに見合ったロイヤリティが支払われることになる。
【００６４】
なお、異なるオリジナル調理レシピ申請元３（ｂ〜ｎ）からの申請に基づいて登録掲載ししたオリジナル調理レシピ「Ｂ」〜「Ｎ」についても同様のアクセス利用回数によりロイヤリティを支払う。また、同一の調理レシピ利用サイド（同一ユーザ）２から同一のオリジナル調理レシピへのアクセス利用においては、何度利用しても計数は１回とする。更に、オリジナル調理レシピ申請元３（ａ）から自作のオリジナル調理レシピ「Ａ」にアクセスしてもアクセス利用回数としては計数しない。
【００６５】
他の１つの支払いは、「調理レシピデータベースファイル２２へのアクセス利用回数の上位者への賞金の支払い」である（Ｓｔｅｐ２０６）。これは、複数のオリジナル調理レシピ申請元３（ａ〜ｎ）からの申請に基づいて登録掲載されたオリジナル調理レシピを含む総ての調理レシピが納められた調理レシピデータベースファイル２２へのアクセス利用回数が、一定期間（例えば、一年間）において上位にランクされる調理レシピ利用サイド２（ａ〜）に対して、調理レシピ供給サイド１からの賞金の支払いである。ここで、上位とは、ベスト１０でも良いし、もう少し拡大してベスト１００としても良く、調理レシピ利用サイド２の数や会員数等に応じて決めることが望ましい。また、賞金の代わりに賞品や商品券等であっても良い。
【００６６】
この賞金は、ある調理レシピ利用サイド２が、調理レシピデータベースファイル２２内の異なる調理レシピを沢山アクセスして利用した場合の褒美として支給するものであり、オリジナル調理レシピ申請元３が自作のオリジナル調理レシピ以外にアクセスした場合も、対象となるアクセス利用回数として計数する。つまり、オリジナル調理レシピ申請元３も調理レシピ利用サイド２の一員であるので、同様に扱う。
【００６７】
ここで、一年間（または一定期間）は不定期ではなく、期日を明記して実施するのが望ましく、例えば、毎年１月１日から１２月３１日までとか、４月１日から３月３１日までというように、開始日と終了日を明確にして実施することが望ましい。
【００６８】
更に他の１つの支払いは、「オリジナル調理レシピのアクセス利用回数上位者への対価の支払い」である（Ｓｔｅｐ２０７）。これは、調理レシピデータベースファイル２２に登録掲載したオリジナル調理レシピ申請元３の異なる複数のオリジナル調理レシピについて、一定期間（例えば、一年間）に調理レシピ利用サイド２からのアクセス利用回数が上位にランクされたオリジナル調理レシピを申請したオリジナル調理レシピ申請元３への対価の支払いである。この場合も、毎年１月１日から１２月３１日までとか、４月１日から３月３１日までというように開始日と終了日を明確にして実施することが望ましい。
【００６９】
例えば、ある一年間において、１００件のオリジナル調理レシピの登録掲載があった場合に、この１００件のオリジナル調理レシピ個々への調理レシピ利用サイド２からのアクセス利用回数を計数，集計し、利用回数が上位にランクされたオリジナル調理レシピを申請したオリジナル調理レシピ申請元３に対して調理レシピ供給サイド１から対価を支払うものである。
【００７０】
ここで、上位とは、ベスト１０でも良く、オリジナル調理レシピの登録掲載数や調理レシピ利用サイド２の数や会員数等に応じて決める。また、支給するのは、賞金ではなく、賞品や商品券等であっても良い。なお、オリジナル調理レシピ申請元３から自作のオリジナル調理レシピに何度アクセスしても、対象となるアクセス利用回数には計数しない。
【００７１】
次に、調理レシピ利用サイド２（オリジナル調理レシピ申請元３を含む）と調理レシピ供給サイド１間での入出金について説明する。
【００７２】
図８は、調理レシピ利用サイド２から調理レシピ供給サイド１への主な入金の処理の流れを示すフローチャートである。この処理は、調理レシピ供給サイド１では、コンピュータシステム１１におけるデータ処理手段１６が主体になって実行し、オリジナル調理レシピ申請元３では、端末装置８ａにおけるデータ処理手段２０が主体になって実行し、これらに接続された取引き金融業者３１のコンピュータシステムが調理レシピ供給サイド１の口座と調理レシピ利用サイド２の口座間での支払いを実行する構成である。
【００７３】
調理レシピ利用サイド２から調理レシピ供給サイド１への入金に関しては、以下のものがある。１つは利用料であり、年会費制の場合は、調理レシピをダウンロードして利用するユーザである調理レシピ利用サイド２から年毎に会費を支払う。なお、この実施の形態では年会費としているが、半年毎の会費等であっても良い。また、年会費制でない場合は、調理レシピにアクセスし、ダウンロードするたびに、レシピ毎の利用料として調理レシピ利用サイド２から調理レシピ供給サイド１に支払う。以上の利用料は、調理レシピ供給サイド１の大きな収入源になる。
【００７４】
調理レシピ供給サイド１のもう１つの収入源として、オリジナル調理レシピ申請元３がオリジナル調理レシピの登録掲載のために支払う掲載依頼料がある。この掲載依頼料は、前述したように、申請して掲載否となったオリジナル調理レシピをこの調理レシピ提供システムの調理レシピデータベースファイル２２に登録して掲載してもらうために支払う料金である。
【００７５】
図９は、調理レシピ供給サイド１から調理レシピ利用サイド２（オリジナル調理レシピ申請元３を含む）および該調理レシピ供給サイド１内での主な出金の処理の流れを示すフローチャートである。前述したように、料金の支払いは、取引き金融業者３１によって調理レシピ供給サイド１の口座と調理レシピ利用サイド２の口座間で行う。
【００７６】
調理レシピ供給サイド１から調理レシピ利用サイド２への出金に関しては、以下のものがある。
【００７７】
１つは賞金の出金であり、前述したように、調理レシピ利用サイド２における調理レシピデータベースファイル２２へのアクセス利用回数上位者への賞金の支払いである。
【００７８】
他の出金の１つは、調理レシピ供給サイド１からオリジナル調理レシピ申請元３へのオリジナル調理レシピ掲載引受料とロイヤリティおよび対価の支払いである。ここで、前述したように、掲載引受料は、調理レシピ供給サイド１の掲載審査で登録掲載可能と判断したオリジナル調理レシピに支払う料金であり、ロイヤリティは、調理レシピ利用サイド２から申請元３のオリジナル調理レシピへのアクセス利用回数に応じて支払う料金であり、対価は、調理レシピデータベースファイル２２に登録掲載された申請元の異なる複数のオリジナル調理レシピにおいて、調理レシピ利用サイド２からのアクセス利用回数が上位にランクされたオリジナル調理レシピ申請元３に支払う料金である。
【００７９】
更に他の出金の１つには、調理レシピ供給サイド１が自らのサイドで利用（出金）する以下のものがある。１つはレシピ加工料であり、オリジナル調理レシピ申請元３から申請されたオリジナル調理レシピの加工と，調理レシピ供給サイド１が自らが開発して提供する調理レシピの加工がある。なお、オリジナル調理レシピの加工作業を調理レシピ供給サイド１が行なうのではなく、外部の業者に委託する場合は、このレシピ加工料は、外部の業者に支払うことになる。
【００８０】
それ以外に、調理レシピ提供システムの運営に当たり必要となるメンテナンス料や調理レシピ利用サイド２への情報発信料およびその他の運営費等がある。
【００８１】
当然のことながら、図８および図９に説明した入出金以外のお金の動きがあっても差し支えないし、図８および図９に例示した入出金に限定されるものでもない。
【００８２】
次に、オリジナル調理レシピ申請元３がオリジナル調理レシピを申請する場合の手順等を図１０〜図１２を参照して説明する。
【００８３】
図１０は、オリジナル調理レシピ申請元３が調理レシピ供給サイド１へオリジナル調理レシピを申請する場合のオリジナル調理レシピ作成処理の手順を示すフローチャートである。この処理は、調理レシピ供給サイド１では、コンピュータシステム１１におけるデータ処理手段１６が主体になって実行し、オリジナル調理レシピ申請元３では、端末装置８ａにおけるデータ処理手段２０が主体になって実行する。
【００８４】
オリジナル調理レシピ申請元３のユーザが電子レンジ等の調理手段（調理機器）７による自ら新しいオリジナル料理を完成させた場合（Ｓｔｅｐ３０１）には、このオリジナル調理レシピを調理レシピ供給サイド１へ申請するか否かを決断する（Ｓｔｅｐ３０２）。そして申請する場合（Ｙ）には、調理レシピ供給サイド１から申請用のオリジナル調理レシピ作成シートを入手する（Ｓｔｅｐ３０３）。このオリジナル調理レシピ作成シートの入手は、端末装置８ａによって通信回線４，１０を介して調理レシピ供給サイド１のコンピュータシステム１１と通信して行う。
【００８５】
オリジナル調理レシピ申請元３は、入手したオリジナル調理レシピ作成シートをもとに、このオリジナル調理レシピ作成シートの手順に従って端末装置８ａを操作して必要事項を記入または該当事項を選択することによってオリジナル調理レシピ作成シートを完成させる（Ｓｔｅｐ３０４）。なお、オリジナル調理レシピ作成シートの記入方法等は図１１を参照して後述する。そして、オリジナル調理レシピ作成シートから変換，チェックして所定書式のオリジナル調理レシピを作成する。このオリジナル調理レシピは、図１２を参照して説明する（Ｓｔｅｐ３０５）。
【００８６】
このようにして作成したオリジナル調理レシピは、その後、修正有無を判断し（Ｓｔｅｐ３０６）、修正を終えたオリジナル調理レシピは、通信回線４，１０を介して調理レシピ供給サイド１へ送信する（Ｓｔｅｐ３０７）。
【００８７】
該調理レシピ供給サイド１のコンピュータシステム１１は、送信されたオリジナル調理レシピを受信すると共にその受信日時を申請日時として自動登録する（Ｓｔｅｐ３０８）。
【００８８】
次に、図１０におけるＳｔｅｐ３１０とＳｔｅｐ３１１について説明する。
【００８９】
オリジナル料理の調理レシピを申請する場合（Ｓｔｅｐ３０２でＹ）は、調理レシピ供給サイド１から申請用のオリジナル調理レシピ作成シートを入手する（Ｓｔｅｐ３０３）前に、オリジナル調理レシピ申請元３が完成させた新しいオリジナル料理の内容を端末装置８ａから調理機器７ａに内蔵された記憶媒体に記録する（Ｓｔｅｐ３１０）。ここで、この調理機器７ａの記憶媒体としては、メモリカードやハードディスク，ＭＤ，ＭＯ，ＣＤ，ＤＶＤ等がある。なお、記憶媒体への記録（Ｓｔｅｐ３１０）は、調理機器７ａではなく、端末装置８ａに内蔵した記憶媒体またはホームサーバ９ａへの記録であっても良い。記憶媒体に記録した情報は、後述するＳｔｅｐ３１１で利用する。
【００９０】
Ｓｔｅｐ３０３においてオリジナル調理レシピ作成シートを入手した後に、調理機器７ａ等に記録した情報を呼び出す。つまり、記録情報を端末装置８ａに送信することにより（Ｓｔｅｐ３１１）、この端末装置８ａ内において、受信した記録情報をオリジナル調理レシピ作成シートの必要事項欄内に自動的に記入する。この記入は、オリジナル調理レシピ作成シートの必要事項の全項を埋めるものが最も望ましいが、空欄が生じても良い。この空欄は、オリジナル調理レシピ申請元３において端末装置８ａを操作して埋めることになるが、必要事項の全項を記入する方法に比べると、容易にオリジナル調理レシピ作成シートへの入力を完成することができる。
【００９１】
本発明の調理レシピ提供システムは、手順Ｓｔｅｐ３１０とＳｔｅｐ３１１の処理を利用しても良いし、利用せずに手順Ｓｔｅｐ３０１からＳｔｅｐ３０８の処理を順に行なっても良い。また、前記手順Ｓｔｅｐ３１０とＳｔｅｐ３１１の処理は、図１０に示したフローチャートの他のところで行なっても良い。
【００９２】
図１１は、オリジナル調理レシピ申請元３となるオリジナル調理レシピ利用サイド２が調理レシピ供給サイド１から入手して表示したオリジナル調理レシピ作成シートの一例である。このオリジナル調理レシピ作成シートは、基本的には、一般の調理レシピ利用サイド２においてユーザが誰でも自由に使えるように工夫されている。その具体例としては、１つは、必要事項の選択はプルダウンメニュー式となっていることであり、他の１つは、桝目を埋めることによりオリジナル調理レシピが自然にできあがるようになっていることである。
【００９３】
以下、オリジナル調理レシピ作成シートの記入法の一例を図１１を参照して説明する。
【００９４】
先ず、オリジナル調理レシピ申請元３の個人情報を記入する。なお、会員制の場合において、会員になっているオリジナル調理レシピ申請元３では、会員番号を入力するだけで良い。
【００９５】
個人情報としては、利用した使用機器の仕様も入力することになっており、必要事項を記入する必要があるが、不明な場合には、図４を参照して説明した調理機器データベースファイル２４と図５を参照して説明した調理機器データベース処理部２９を利用することができる。この調理機器データベースファイル２４には、各社の機器仕様（例えば、会社名，調理機器名，機種，型式，消費電力値）を格納しており、調理機器データベース処理部２９の検索機能を利用して、調理機器名（例えば、電子レンジ），会社名（例えば、日立），型式（例えば、ＭＲＸ１０）を入力することにより、レンジの消費電力値（例えば、７００Ｗ）を知ること（出力）ができる。勿論、７００Ｗ等の仕様を直接入力しても良い。個人情報としては、ユーザの年齢や性別等を付加しても良い。
【００９６】
次に、本来のオリジナル調理レシピの内容を記入していく。料理名は、オリジナル調理レシピであるので、ユーザ（オリジナル調理レシピ申請元３）が好みの名前を付けることができ、自分の名前を盛り込んだユニークな名称でも良い。料理種類は、「和食」，「洋食」，「中華」等の選択で、プルダウンメニュー式で選択する。それ以外に、病気に効果のある料理であれば、効果ある病名等の入力項があっても良い。更に、考案したオリジナル調理レシピの調理人数（人前）等も記入する。
【００９７】
必要材料もプルダウンメニュー式で選択できるようになっており、食材名，必要量等を選ぶことができる。勿論、食材名の直接入力も可能である。一般には、必要材料は複数あるので、「次へ」を押すことにより順次入力が可能である。
【００９８】
最後に、作り方を入力する。この作り方は、手順の入力と調理時間の選択等で行い、調理手順に沿って順次入力する。なお、個人情報で調理機器の消費電力（Ｗ）がわかっており、料理種類で調理レシピ人数（人前）がわかっているので、作り方の調理時間（時間ｈまたは分，秒）が記入されると、このオリジナル調理レシピの調理に必要な消費電力量（例えば、Ｗｈ；ワットアワー）もわかる。
【００９９】
つまり、この消費電力量（Ｗｈ）は、消費電力（Ｗ；ワット）と調理時間（ｈ；アワー）の積であるから、この消費電力量がわかると、異なる消費電力の調理機器にも該オリジナル調理レシピ（調理時間）が容易に対応（変換）することができ、換算することにより、幅広く調理レシピ利用サイド２に提供することができる。
【０１００】
なお、このオリジナル調理レシピを異なる消費電力（Ｗ）の調理機器用調理レシピに変換する作業は、当然、コンピュータシステム１１を利用して調理レシピ供給サイド１が行なう。
【０１０１】
なお、オリジナル調理レシピ作成シートの作成は、音声入力や文字入力等の他の方法を利用または併用しても良い。
【０１０２】
以上のように、このオリジナル調理レシピ作成シートにより、一連の入力が終わると、最下段の「はい」を押すことにより、このオリジナル調理レシピ作成シートから所定書式のオリジナル調理レシピに自動的に変換する。なお、修正がある場合は、「直したい」を押すことにより修正等が可能となる。
【０１０３】
図１２は、図１１に例示したオリジナル調理レシピ作成シートから自動変換したオリジナル調理レシピの一例である。
【０１０４】
上段に個人情報を表示して確認することができる。それ以降には、プルダウンメニュー式等で入力されたオリジナル調理レシピの料理名，必要材料および作り方を表示する。ここで、例えば作り方において、図１１では、作り方の項目と調理時間および消費電力等をそれぞれの枠内に別々に入力したが、図１２では、それらが組み合わさって１つの文で表示され、その内容が作り方の順に確認できるように配列している。
【０１０５】
最下段には、調理レシピの内容確認ボタンがあり、「はい」が選択されることにより、オリジナル調理レシピまたはオリジナル調理レシピ作成シートの何れかを調理レシピ供給サイド１に送信する。ここで、調理レシピ供給サイド１への送信は、オリジナル調理レシピまたはオリジナル調理レシピ作成シートの何れか一方でも良いが、その両方であっても良い。
【０１０６】
図１３は、調理レシピ利用サイド２が調理レシピ供給サイド１から希望の調理レシピをダウンロードする場合の手順を示すフローチャートである。この調理レシピ提供システムでは、図５に示したように、調理レシピ供給サイド１のコンピュータシステム１１内に調理レシピ検索処理部２８を備えているので、この調理レシピ検索処理部２８を利用した手順の例を説明する。
【０１０７】
調理レシピ利用サイド２の端末装置８ａは、通信回線４，１０を介して調理レシピ供給サイド１にアクセスし、調理レシピ検索処理部２８を呼び出して検索を実行する（Ｓｔｅｐ４０１）。検索は、料理名を直接入力することにより指定しても良いが、料理種類（和食，洋食等）や冷蔵庫等にある食材（牛肉，人参等）や季節（夏，冬等）を指定して調理レシピデータベースファイル２２から料理名を検索，選択するようにしても良い。更に、糖尿病や高血圧病等の人は、その病名を入力指定することにより、その病気に適した料理名を検索することもできる。なお、料理名がコード番号と対応付けている場合は、そのコード番号を入力するだけの方法でも良い。
【０１０８】
以上の操作により、希望する料理名の調理レシピが決定すると（Ｓｔｅｐ４０２）、その調理レシピの概要を表示するか否かを判断させる（Ｓｔｅｐ４０３）。ここで、調理レシピの概要とは、この調理レシピの要約であり、例えば、必要材料名とその量および所用時間や調理の難易度等を記したものである。概要表示しない場合（Ｎ）は、再びレシピ検索（Ｓｔｅｐ４０１）に戻る。
【０１０９】
概要表示する場合（Ｙ）は、決定した調理レシピの概要を調理レシピデータベースファイル２２から呼び出し、調理レシピ利用サイド２の端末装置８ａの表示手段１９に表示し（Ｓｔｅｐ４０４）、その内容を確認させた後に、この調理レシピの詳細を表示するか否かを判断させる（Ｓｔｅｐ４０５）。詳細を表示しない場合（Ｎ）は、再びレシピ検索（Ｓｔｅｐ４０１）に戻る。
【０１１０】
詳細表示する場合（Ｙ）は、決定した調理レシピの詳細を調理レシピデータベースファイル２２から読み出して調理レシピ利用サイド２の表示手段１９に表示し（Ｓｔｅｐ４０６）、その内容を確認させた後に、入手するか否かを判断させる（Ｓｔｅｐ４０７）。入手しない場合（Ｎ）は、再びレシピ検索（Ｓｔｅｐ４０１）に戻る。入手する場合（Ｙ）は、調理レシピデータベースファイル２２から調理レシピをダウンロードし（Ｓｔｅｐ４０８）、調理レシピ利用サイド２の端末装置８ａのＨＤＤ等の記憶手段やホームサーバ９ａ等に記憶して保管し、その後、調理機器７ａを使った調理に利用する。
【０１１１】
図２に示したように、電子レンジ等の調理機器７ａは、調理レシピ利用サイド２の端末装置８ａやホームサーバ９ａと共に通信回線４，１０に接続しているので、ダウンロードした調理レシピは、そのまま調理機器７ａに送信することもできるので、ダウンロードした調理レシピに従った自動調理を実行させることもできる。
【０１１２】
ここで、この調理レシピを記憶・保管せずに印刷した場合も、１回のダウンロード（アクセス利用回数）として計数する。また、図１３における調理レシピダウンロードの手順において、概要表示は省略することもできる。
【０１１３】
以上に説明した調理レシピ提供システムにおいては、様々な優遇処置をとっても良い。例えば、高齢者や一人暮らしの老人更には健常者でない人には利用料の割引制度を設ける等である。なお、場合によっては、前記対象者は無料による提供としても良い。
【０１１４】
【発明の効果】
本発明は、調理レシピ利用サイドでもあるオリジナル調理レシピ申請元が作成して調理レシピ提供サイドに申請したオリジナル調理レシピが調理レシピ提供サイドにおいて不採用のときには、オリジナル調理レシピ申請元が掲載依頼料を支払うことにより、オリジナル調理レシピ申請元で作成したオリジナル調理レシピを調理レシピデータベースファイルに登録して掲載することができ、このオリジナル調理レシピが他の調理レシピ利用サイドによって利用されたときにはその利用度に応じて申請元にロイヤリティが支払われ、更に、調理レシピ利用サイドにとっては、調理レシピデータベースファイル内の調理レシピへの利用回数が多いと賞金がもらえる等、ユーザメリットが非常に多いユーザ参加型の調理レシピ提供システムを実現することができる。
【図面の簡単な説明】
【図１】本発明の調理レシピ提供システムの一実施の形態における「調理レシピ供給サイド」と「調理レシピ利用サイド」の相互関係を示す機能ブロック図である。
【図２】本発明の調理レシピ提供システムを実現するネットワークの一実施の形態を示すブロック図である。
【図３】図２に示したネットワークにおける調理レシピ供給サイドと調理レシピ利用サイドの内部構成を示す機能ブロック図である。
【図４】調理レシピ供給サイドのコンピュータシステムが備えたデータベース用サーバにおけるデータファイルの一実施の形態である。
【図５】調理レシピ供給サイドのコンピュータシステムにおけるデータ処理手段が主体となって実行するデータ処理によって実現する処理機能のブロック図である。
【図６】オリジナル調理レシピ申請元のユーザが自ら考案して作成したオリジナル調理レシピを調理レシピ供給サイドへ申請する場合の処理手順の流れを示すフローチャートである。
【図７】調理レシピ供給サイドが提供する調理レシピを調理レシピ利用サイドが利用する場合の処理の流れを示すフローチャートである。
【図８】調理レシピ利用サイドから調理レシピ供給サイドへの主な入金の処理の流れを示すフローチャートである。
【図９】調理レシピ供給サイドから調理レシピ利用サイド（オリジナル調理レシピ申請元を含む）および該調理レシピ供給サイド内での主な出金の処理の流れを示すフローチャートである。
【図１０】オリジナル調理レシピ申請元が調理レシピ供給サイド１へオリジナル調理レシピを申請する場合のオリジナル調理レシピ作成処理の手順を示すフローチャートである。
【図１１】オリジナル調理レシピ作成シートである。
【図１２】オリジナル調理レシピである。
【図１３】調理レシピ利用サイドが調理レシピ供給サイドから希望の調理レシピをダウンロードする場合の手順を示すフローチャートである。
【符号の説明】
１…調理レシピ供給サイド、２（２ａ〜２ｃ）…調理レシピ利用サイド，３…オリジナル調理レシピ申請元、４…宅外通信回線、５ａ〜５ｃ…家庭、６ａ〜６ｃ…ホームゲートウェイ、７ａ〜７ｃ…調理機器、８ａ〜８ｃ…端末装置、９ａ〜９ｃ…ホームサーバ、１０ａ〜１０ｃ…宅内通信回線、１１…コンピュータシステム、１２…データベース用サーバ、、１３，１７…データ入力手段、１４，１８…データ出力手段、１５，１９…データ表示手段、１６，２０…データ処理手段、２１…調理レシピ利用サイド登録者名簿ファイル、２２…調理レシピデータベースファイル、２３…調理レシピ利用サイドアクセス管理ファイル、２４…調理機器データベースファイル、２５…オリジナル調理レシピ申請受付処理部、２６…調理レシピ加工作業処理部、２７…調理レシピ利用サイドアクセス管理処理部。２８…調理レシピ検索処理部、２９…調理機器データベース処理部、３０…入出金管理処理部、３１…取引き金融業者。
【図１】
2004005209.tif 000003
【図２】
2004005209.tif 000004
【図３】
2004005209.tif 000005
【図４】
2004005209.tif 000006
【図５】
2004005209.tif 000007
【図６】
2004005209.tif 000008
【図７】
2004005209.tif 000009
【図８】
2004005209.tif 000010
【図９】
2004005209.tif 000011
【図１０】
2004005209.tif 000012
【図１１】
2004005209.tif 000013
【図１２】
2004005209.tif 000014
【図１３】
2004005209.tif 000015